(57)【要約】【課題】コントラストが高く良好な映像を表示でき、かつ、安価に製造可能な反射スクリーン、及び、映像表示システムを提供する。【解決手段】反射スクリーン１０は、映像源ＬＳから投射された映像光Ｌを反射して映像を観察可能に表示するものであり、背面側に凸である単位プリズム１３１が画面上下方向に複数配列されたプリズム層１３と、プリズム層１３の背面側に位置し、少なくとも単位プリズム１３１間に形成され、プリズム層１３よりも屈折率が低い空気層１４と、空気層１４よりも背面側に配置され、光を吸収する光吸収層１５とを備えるものとした。【選択図】図２
2014199375.tif 000002
【特許請求の範囲】
【請求項１】
映像源から投射された映像光を反射して映像を観察可能に表示する反射スクリーンであって、
背面側に凸である単位光学要素が画面上下方向に複数配列された光学形状層と、
前記光学形状層よりも背面側であって、前記単位光学要素間に形成され、前記単位光学要素よりも屈折率が低く、光透過性を有する低屈折率層と、
前記低屈折率層よりも背面側に配置され、光を吸収する光吸収層と、
を備えること、
を特徴とする反射スクリーン。
【請求項２】
請求項１に記載の反射スクリーンにおいて、
前記単位光学要素は、画面左右方向を長手方向として、前記画面上下方向に配列される略三角柱状であること、
を特徴とする反射スクリーン。
【請求項３】
請求項１又は請求項２に記載の反射スクリーンにおいて、
前記単位光学要素は、スクリーン面に直交し、かつ、画面上下方向に平行な断面における断面形状が、略三角形形状であり、その頂角が７７〜１３１°であること、
を特徴とする反射スクリーン。
【請求項４】
請求項１から請求項３までのいずれか１項に記載の反射スクリーンにおいて、
前記低屈折率層よりも観察者側に、光を拡散する作用を有する光拡散層を備えること、
を特徴とする反射スクリーン。
【請求項５】
請求項１から請求項４までのいずれか１項に記載の反射スクリーンと、
前記反射スクリーンに映像光を投射する映像源と、
を備える映像表示システム。
【発明の詳細な説明】
【技術分野】
【０００１】
本発明は、投射された映像光を反射して映像を表示する反射スクリーンと、これを備える映像表示システムとに関するものである。
【背景技術】
【０００２】
近年、プロジェクタ等から投射された映像光を反射して、映像を観察可能に表示する反射スクリーンが広く使用されており、一般的な２次元映像を表示するものに加え、３次元映像の表示等が可能なもの等、様々に開発されている（例えば、特許文献１，２）。
反射スクリーンは、ホームシアターや、会議やプレゼンテーション等で使用される場合が多く、暗室環境下に加えて、明室環境下であっても、映像のコントラストが高く良好な映像を表示したいという要望がある。
【先行技術文献】
【特許文献】
【０００３】
【特許文献１】特開２００２−３１１５０７号公報
【特許文献２】特開２０１０−２６２０４６号公報
【発明の概要】
【発明が解決しようとする課題】
【０００４】
しかし、映像のコントラストの向上等を図った反射スクリーンでは、その層構成が複雑で製造工程が複雑であったり、生産コストが増大したりするという問題を有する。
特許文献１，２に記載された反射スクリーンは、層構成や光学形状が複雑であったり、特殊で高価な光学機能層等を備えており、特許文献１，２には、良好な映像を表示する反射スクリーンを、安価に製造することに関しては、開示されていない。
【０００５】
本発明の課題は、コントラストが高く良好な映像を表示でき、かつ、安価に製造可能な反射スクリーン、及び、映像表示システムを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、映像源から投射された映像光を反射して映像を観察可能に表示する反射スクリーンであって、背面側に凸となる単位光学要素（１３１）が画面上下方向に複数配列された光学形状層（１３）と、前記光学形状層よりも背面側であって、前記単位光学要素間に形成され、前記単位光学要素よりも屈折率が低く、光透過性を有する低屈折率層（１４）と、前記低屈折率層よりも背面側に配置され、光を吸収する光吸収層（１５）と、を備えること、を特徴とする反射スクリーン（１０）である。
請求項２の発明は、請求項１に記載の反射スクリーンにおいて、前記単位光学要素（１３１）は、画面左右方向を長手方向として、前記画面上下方向に配列される略三角柱状であること、を特徴とする反射スクリーン（１０）である。
請求項３の発明は、請求項１又は請求項２に記載の反射スクリーンにおいて、前記単位光学要素（１３１）は、スクリーン面に直交し、かつ、画面上下方向に平行な断面における断面形状が、略三角形形状であり、その頂角が７７〜１３１°であること、を特徴とする反射スクリーン（１０）である。
請求項４の発明は、請求項１から請求項３までのいずれか１項に記載の反射スクリーンにおいて、前記低屈折率層（１４）よりも観察者側に、光を拡散する作用を有する光拡散層（１２）を備えること、を特徴とする反射スクリーン（１０）である。
請求項５の発明は、請求項１から請求項４までのいずれか１項に記載の反射スクリーン（１０）と、前記反射スクリーンに映像光を投射する映像源（ＬＳ）と、を備える映像表示システム（１）である。
【発明の効果】
【０００７】
本発明によれば、コントラストが高く良好な映像を表示でき、かつ、安価に製造可能な反射スクリーン、及び、映像表示システムを提供することができる。
【図面の簡単な説明】
【０００８】
【図１】実施形態の映像表示システム１を説明する図である。
【図２】実施形態の反射スクリーン１０の層構成を示す図である。
【図３】実施形態の反射スクリーン１０へ入射する映像光Ｌ及び外光Ｇの様子を説明する図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
また、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
さらに、本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、平行や直交と見なせる程度の誤差を有する状態も含むものとする。
【００１０】
（実施形態）
図１は、本実施形態の映像表示システム１を説明する図である。図１（ａ）は、映像表示システム１の斜視図であり、図１（ｂ）は、映像表示システム１の側面図である。
本実施形態の映像表示システム１は、反射スクリーン１０、映像源ＬＳ等を有している。映像表示システム１では、反射スクリーン１０が映像源ＬＳから投影された映像光Ｌを反射して、その画面（表示面）上に映像を表示する。この映像表示システム１は、例えば、フロントプロジェクションテレビシステム等として用いることも可能である。また、この映像表示システム１は、反射スクリーン１０と映像源ＬＳと反射スクリーン１０の観察画面上の入力部の位置を検出する位置検出部（不図示）やパーソナルコンピュータ（不図示）等を備えたインタラクティブボードシステムとして用いることも可能である。
【００１１】
映像源ＬＳは、映像光Ｌを反射スクリーン１０へ投射する映像光投射装置である。映像源ＬＳは、汎用のプロジェクタ等を用いることができる。この映像源ＬＳは、図１（ｂ）に示すように、反射スクリーン１０の使用状態における画面の幾何学的中心となる点Ａを通り、スクリーン面の法線方向に平行な直線上に位置している。そして、映像源ＬＳは、反射スクリーン１０の画面（表示面）の大部分に対して、スクリーン面の法線方向から、又は、法線方向に対してなす角度が４５°以下となる方向から、映像光Ｌを投射可能である。
【００１２】
反射スクリーン１０は、映像源ＬＳが投射した映像光Ｌを観察者Ｏ側へ向けて反射し、映像を表示する。反射スクリーン１０の使用状態において、反射スクリーン１０の画面（表示面）は、観察者Ｏ側から見て、長辺方向が画面左右方向となる略矩形状である。なお、以下の説明中において、画面上下方向、画面左右方向とは、特に断りが無い場合、この反射スクリーン１０の使用状態における画面上下方向（鉛直方向）、画面左右方向（水平方向）であるとする。
この反射スクリーン１０の背面側には、平板状の支持板５０が、粘着材等からなる不図示の接合層を介して設けられている。反射スクリーン１０は、この支持板５０により、その画面の平面性を維持している。本実施形態の支持板５０は、光透過性を有していない板状の部材である。
【００１３】
図２は、本実施形態の反射スクリーン１０の層構成を示す図である。図２では、反射スクリーン１０のスクリーン面に直交し、かつ、画面上下方向に平行な断面の一部を拡大して示している。ここで、スクリーン面とは、この反射スクリーン１０において、スクリーン全体として見たときにおける、反射スクリーン１０の平面方向となる面を示すものであり、本明細書中、及び、特許請求の範囲においても同一の定義として用いている。この反射スクリーン１０のスクリーン面は、反射スクリーン１０の画面（表示面）に平行であり、スクリーン面の法線方向は、反射スクリーン１０の厚み方向に平行であるとする。
反射スクリーン１０は、その映像源側（観察面側）から順に、表面層１１、基材層１２、プリズム層１３、空気層１４、光吸収層１５等を備えている。
【００１４】
基材層１２は、この反射スクリーン１０の基材（ベース）となる層である。本実施形態では、基材層１２の映像源側（観察面側）には、表面層１１が一体に形成され、背面側（裏面側）には、プリズム層１３が一体に形成されている。
また、この基材層１２は、光を拡散する拡散材を含有している。従って、基材層１２は、光透過性を有する樹脂を母材とし、拡散材を略均一に含有する樹脂製のシート状の部材を用いることができる。このような基材層１２とすることにより、反射スクリーン１０を構成する層を増やすことなく、視野角を広げたり、明るさの面内均一性の向上を図ったりすることができ、生産コストの低減や反射スクリーンの薄型化や軽量化も図ることができる。
【００１５】
基材層１２の母材としては、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂等が挙げられる。
また、基材層１２に含有される拡散材としては、光透過性を有するものが好ましく、アクリル系、スチレン系、アクリル・スチレンの共重合体、シリコーン系等の樹脂製の粒子や、ガラスビーズ等の無機粒子等が挙げられる。これらの拡散材の平均粒径は、約１〜３０μｍのものが好適である。
また、基材層１２の厚さは、反射スクリーン１０の画面サイズにも依るが、０．０２５〜１０ｍｍ程度とすることができる。
【００１６】
プリズム層１３は、基材層１２よりも背面側に設けられた光透過性を有する層であり、その背面側（スクリーンの厚み方向において基材層１２とは反対側）には、単位プリズム１３１が複数配列されて形成された光学形状層である。
単位プリズム１３１は、背面側に凸となる略三角柱状であり、画面左右方向を長手方向（稜線方向）とし、スクリーン面に沿って画面上下方向に複数配列されている。
プリズム層１３は、紫外線硬化型樹脂により形成されており、基材層１２の片面（背面側となる面）に、紫外線成型法等により一体に作製されている。
なお、プリズム層１３は、電子線硬化型樹脂等の他の電離放射線硬化型樹脂により形成されるものとしてもよいし、熱可塑性樹脂を用いて基材層１２と一体に押出成型法や射出成型法等により形成してもよく、プリズム層１３の形成方法等は、適宜自由に選択してよい。
【００１７】
単位プリズム１３１は、スクリーン面に直交する方向（反射スクリーン１０の厚み方向）に平行であって単位プリズム１３１の配列方向（反射スクリーン１０の画面上下方向）に平行な断面における断面形状が、略三角形形状であり、頂点ｔと、頂点ｔを挟んで対向する側面１３１ａ，１３１ｂとを有している。
図２に示すように、画面上下方向において上側の側面を側面１３１ａ、下側の側面を側面１３１ｂとし、各側面がスクリーン面に平行な面となす角度をそれぞれ、角度β、角度γとする。また、単位プリズム１３１は、頂角が角度αであり、配列ピッチがＰである。
単位プリズム１３１の頂角αは、７７〜１３１°とすることが好ましく、９０°とすることがより好ましい。しかし、この頂角αは、プリズム層１３の屈折率や、プリズム層１３と後述する低屈折率層である空気層１４との屈折率差、映像源ＬＳの位置等に応じて適宜変更してよい。
本実施形態の単位プリズム１３１は、断面形状が二等辺三角形形状であり、α＝９０°であり、β＝γ＝４５°である。
【００１８】
単位プリズム１３１の配列ピッチＰや頂角α等は、映像光を投影する映像源ＬＳ（プロジェクタ）の画素（ピクセル）の大きさや、映像源ＬＳの映像光の投射角度（スクリーン面に対する映像光の入射角度）等に応じて、適宜変更可能である。
本実施形態では、図２に示すように、単位プリズム１３１の配列ピッチＰ及び頂角αが一定である例を示しているが、これに限らず、配列方向に沿って頂角αや、配列ピッチＰ、角度β及び角度γが適宜変化する形態としてもよい。また、本実施形態では、単位プリズム１３１の断面形状は、二等辺三角形形状である例を示しているが、これに限らず、不等辺三角形形状等、他の三角形形状としてもよいし、例えば、配列方向（画面上下方向）において、中央では二等辺三角形形状であるが、画面上方や下方へ向かうにつれて不等辺三角形形状に変化する形態としてもよい。
【００１９】
空気層１４は、プリズム層１３よりも背面側に位置し、単位プリズム１３１の配列方向（画面上下方向）において、単位プリズム１３１と交互に配置されている。この空気層１４は、空気が充填されており、プリズム層１３よりも屈折率が低く、光透過性を有する低屈折率層である。
この空気層１４は、単位プリズム１３１の側面１３１ａ，１３１ｂに接する形態となっている。
なお、本実施形態では、この低屈折率層は、空気が充填されて形成される空気層１４である例を示したが、これに限らず、例えば、窒素等の気体により形成されてもよいし、単位プリズム１３１よりも屈折率が低い樹脂により形成されてもよい。
【００２０】
光吸収層１５は、空気層１４の背面側に設けられた層であり、光を吸収する作用を有する層である。
本実施形態の光吸収層１５は、黒色のシート状の部材を基材とし、この基材の映像源側（観察面側）となる面に、黒色の粘着剤層（不図示）を有している。この光吸収層１５は、粘着剤層により、単位プリズム１３１の頂点ｔと接合し、単位プリズム１３１間に空気層１４が形成された状態で、プリズム層１３と接合されている。このとき、頂点ｔを含む単位プリズム１３１の頂部の一部が、粘着剤層中に入りこむ形態としてもよい。
【００２１】
光吸収層１５の基材としては、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂等のシート状の部材を用いることができる。この基材は、粘着剤層が黒色等の暗色に着色されており、十分な光吸収性を有する場合には、透明又は半透明な部材を用いてもよいし、白色等の部材を用いてもよい。また、基材が黒色等であり、十分な光吸収性を有するならば、粘着剤層を透明、又は、半透明等としてもよい。
【００２２】
表面層１１は、基材層１２の映像源側（観察者側）に設けられる層である。
この表面層１１は、ハードコート機能や、反射防止機能、帯電防止機能、防眩機能、防汚機能、紫外線吸収機能等の各種機能の少なくとも１つを備えている。
本実施形態の表面層１１は、この反射スクリーン１０の映像源側の最表面側に位置し、ハードコート機能及び防眩機能を有し、その映像源側の面に微細凹凸形状が不規則に配列されて形成されている。この表面層１１は、基材層１２の一方の面（観察面側の面）に、ハードコート機能を有する紫外線硬化型樹脂を、微細凹凸形状を賦形可能な成形型（金型）に充填して押圧し、紫外線を照射して硬化させて離型する等により、微細凹凸形状が形成される。なお、表面層１１は、紫外線硬化型樹脂に限らず、他の電離放射線硬化型樹脂等を用いてもよい。
【００２３】
この表面層１１は、所望する機能や用いる材料の特性等に応じて、適宜その厚さを設定することができ、例えば、その厚さを１〜１００μｍ程度とすることができる。
なお、この表面層１１は、表面に微細凹凸形状が不規則に配列されて形成されているので、上述の効果に加えて、例えば、光源像や外光の映り込みを防止する機能や、映像の視野角を広げる機能等も有している。
【００２４】
ここで、反射スクリーン１０へ入射する映像光Ｌや外光Ｇについて説明する。
図３は、実施形態の反射スクリーン１０へ入射する映像光Ｌ及び外光Ｇの様子を説明する図である。図３では、図２に示す反射スクリーン１０の断面に相当する断面を、さらに拡大して示している。
また、図３では、理解を容易にするために、表面層１１、基材層１２、プリズム層１３の屈折率は等しいものとし、矢印で示す映像光Ｌや外光Ｇに対する表面層１１の表面の微細凹凸形状による拡散作用や基材層１２による拡散作用等は、省略して示している。
図３に示すように、映像源ＬＳから投影された映像光Ｌの多くは、画面上下方向において、反射スクリーン１０のスクリーン面の法線方向及び法線方向となす角度が小さい（４５°以下）の方向から入射し、表面層１１及び基材層１２を透過してプリズム層１３の単位プリズム１３１へ入射する。
【００２５】
そして、映像光Ｌは、例えば、単位プリズム１３１の一方の側面１３１ａへ入射する。このとき、側面１３１ａは、プリズム層１３より屈折率が低い空気層１４と接しており、かつ、映像光Ｌは、側面１３１ａに対して臨界角以上となる角度で入射する。そのため、映像光Ｌは、側面１３１ａで全反射し、他方の側面１３１ｂへ入射する。このとき、映像光Ｌは側面１３１ｂに臨界角以上の角度で入射するので、側面１３１ｂで全反射して、観察者側へ向かい、反射スクリーン１０の略正面方向へ出射し、観察者Ｏへ到達する。
【００２６】
一方、照明光等の不要な外光Ｇは、図３に示すように、主として反射スクリーン１０の上方から入射し、表面層１１及び基材層１２を透過してプリズム層１３の単位プリズム１３１へ入射する。
このとき外光Ｇは、スクリーン面に対する入射角が、映像光Ｌよりも大きいため、画面上下方向下側に位置する側面１３１ｂに対して、臨界角を超えない角度で入射する。そのため、外光Ｇは、側面１３１ｂで屈折して空気層１４へ入射し、空気層１４を透過して光吸収層１５へ入射して吸収される。
【００２７】
以上のことから、本実施形態によれば、映像光Ｌを効率よく観察者Ｏ側へ反射することができ、かつ、外光Ｇを吸収し、観察者Ｏ側へ到達することがないので、明室環境下であってもコントラストが高く明るく良好な映像を表示できる。
また、本実施形態によれば、従来使用されているような金属の蒸着膜や白色や銀色等のインキ膜等による反射層を形成する必要がなく、プリズム層１３の単位プリズム１３１の形状も簡易であるので、反射スクリーン１０の製造が容易であり、生産コストを抑えることができる。従って、安価で良好な反射スクリーン１０及び映像表示システム１を提供できる。
【００２８】
（実施例）
本実施形態の反射スクリーン１０及び映像表示システム１の実施例を作成し、その映像のコントラスト等を目視評価した。
実施例の反射スクリーン１０は、以下の通りである。
反射スクリーン１０：画面サイズ対角４０インチ（８９０ｍｍ×５００ｍｍ）
表面層１１：紫外線硬化型樹脂（エポキシアクリレート樹脂）製（屈折率１．５２）、厚さ約１０μｍ。映像源側に微細凹凸形状あり。
基材層１２：拡散材としてＭＳ樹脂製の球形ビーズ（屈折率１．５２、平均粒径約１０μｍ）を含有するＭＢＳ樹脂製（屈折率１．５５）、厚さ２００μｍ。
プリズム層１３：紫外線硬化型樹脂（ウレタンアクリレート樹脂）製（屈折率１．６０）、厚さ４５μｍ。
【００２９】
単位プリズム１３１：頂角α＝９０°、配列ピッチＰ＝５０μｍ、二等辺三角柱形状。
空気層１４：空気。屈折率１．０。
光吸収層１５：黒色に着色されたＰＥＴ樹脂製の基材（厚さ１００μｍ）、粘着剤層は、黒色に着色されたアクリル樹脂系の粘着剤。
映像源ＬＳ：反射スクリーン１０の映像源側の面の点Ａを通る法線方向において、反射スクリーン１０の表面から映像源側に２ｍの位置に配置。
【００３０】
上述のような実施例の反射スクリーン１０及び映像表示システム１を作成し、実際に映像源ＬＳから映像光Ｌを投射して、その映像を目視評価したところ、コントラストが高く、明るい良好な映像が明室環境下においても観察された。
また、実施例の反射スクリーン１０は、製造が容易であり、良好な反射スクリーン及び映像表示システムを安価に提供できる。
【００３１】
（変形形態）
以上説明した各実施形態に限定されることなく、種々の変形や変更が可能であって、それらも本発明の範囲内である。
（１）映像源ＬＳは、点Ａと映像源ＬＳの映像光の投射口とを通る直線が、点Ａを通りスクリーン面に直交する直線に対して、画面上下方向において角度をなす形態としてもよい。また、このような投射系に合わせて、単位プリズム１３１の形状を、画面上下方向において、次第に又は段階的に変化させてもよい。
さらに、映像源ＬＳから投射された映像光Ｌが、不図示のミラー部等で反射されたのち、反射スクリーン１０へ投射される形態としてもよい。
【００３２】
（２）単位光学要素は、略三角柱状であり、その配列方向に平行であって、スクリーン面の法線方向に平行な断面における断面形状が略三角形形状である単位プリズム１３１である例を示したが、これに限らず、例えば、以下のような形態としてもよい。
単位プリズム１３１は、その頂部が背面側に凸となる曲面状である形態としてもよい。
また、単位プリズム１３１の側面１３１ａ，１３１ｂは、平滑面状である例を示したが、これに限らず、側面１３１ａ，１３１ｂに微細な凹凸形状が形成された形態としてもよい。さらに、プリズム層１３が拡散材を含有する形態としてもよい。
さらに、単位プリズム１３１は、三角柱形状に限らず、例えば、円錐形状や四角錘形状としてもよい。
【００３３】
また、単位光学要素は、その断面形状が、スクリーン面に平行又は略平行な頂面を有する略台形形状や多角形形状等としてもよい。このような単位光学要素としては、四角柱形状や多角柱形状、錘台形状等が挙げられる。このとき、単位光学要素の配列方向における頂面の寸法は、映像の輝度を高める観点から小さい方が好ましいが、所望する光学性能等の応じて適宜設定してよい。
このような形状の単位光学要素とすることにより、頂面に光吸収層１５をより安定して接合できる。なお、このとき、光吸収層１５の粘着剤層は、映像の輝度を高める観点から、その屈折率が単位光学要素よりも小さいことが好ましい。
また、単位光学要素は、その配列方向に平行であってスクリーン面に直交する断面における断面形状が、スクリーン面に長軸が直交する略楕円形状の一部形状としてもよい。
【００３４】
（３）反射スクリーン１０は、表面層１１、基材層１２、プリズム層１３、空気層１４、光吸収層１５等を備える例を示したが、これに限らず、各種光学作用を有する層を適宜備えてもよい。
例えば、反射スクリーン１０は、基材層１２が光拡散材を含有せず、かつ、光拡散作用を有する光拡散層をさらに備える形態とし、反射スクリーン１０としての視野角の向上や輝度ムラの低減等を図ってもよい。このとき、光拡散層は、光を等方的に拡散するものとしてもよいし、例えば、画面上下方向の拡散作用よりも画面左右方向の拡散作用の方が大きい等といったように拡散作用が異方性を有するものとしてもよい。また、光拡散層は、拡散材を含有する形態のものや、レンチキュラーレンズ形状等の各種光学形状を有するものとしてもよい。
また、反射スクリーン１０は、所定の透過率とするための黒色や灰色等の染料や顔料等により着色が施された着色層を備え、着色層により外光を吸収して映像のコントラスト向上を図ってもよい。なお、基材層１２が顔料等を含有し、着色層を兼ねる形態としてもよい。
【００３５】
（４）光吸収層１５は、これに限らず、反射スクリーン１０の表示領域外において、光吸収層１５とプリズム層１３との間にスペーサを配置する等して、光吸収層１５とプリズム層１３とが接していない形態としてもよい。
【００３６】
（５）反射スクリーン１０は、光吸収層１５の背面側に、さらに、反射スクリーン１０を破損等から保護するための樹脂製のシート状の不図示の保護層等を設けてもよい。このとき、保護層を遮光層としたり、保護層に遮光層を積層したりしてもよい。
【００３７】
（６）反射スクリーン１０は、支持板５０を備えず、反射スクリーン１０が粘着材層等を介して壁面等に接合されて配置される形態としてもよいし、支持板５０を裏面に接合した状態で壁面に固定されたり、フック等の支持部材で壁面に吊り下げされて配置される形態等としてもよい。また、反射スクリーン１０は、反射スクリーン１０の画面の平面性を維持するために、ガラス製や樹脂製である剛性の高い基板層を備える形態としてもよいし、このとき十分な平面性を維持できるならば、支持板５０を用いない形としてもよい。
さらに、本実施形態において、反射スクリーン１０は、使用時及び不使用時において略平板状である例を示したが、これに限らず、不使用時には巻き取って保管できる巻き取り可能な形態としてもよい。このような形態の場合には、支持板５０等を設けず、反射スクリーン１０の背面側を、光を透過しにくい布製又は樹脂製の遮光幕や耐傷性を向上させる保護層等で被覆する形態としてもよい。
【００３８】
（７）映像源ＬＳは、短焦点プロジェクタを使用してもよい。このとき、反射スクリーン１０の上方又は下方に映像源ＬＳが位置し、スクリーン面に対して大きな入射角度で映像光が入射する。そのため、反射スクリーン１０の表面層１１に、画面上下方向において、映像光をスクリーン面の法線方向に偏向する偏向光学層を配置した形態とすることが好ましい。このような偏向光学層としては、例えば、複数配列された単位レンズが、入射面と全反射面とを備え、入射面から入射した光を全反射面で反射して偏向する機能を有するサーキュラーフレネルレンズやリニアフレネルレンズ等を用いることができる。
【００３９】
なお、本実施形態及び変形形態は、適宜組み合わせて用いることもできるが、詳細な説明は省略する。また、本発明は以上説明した実施形態等によって限定されることはない。
【符号の説明】
【００４０】
１    映像表示システム
１０    反射スクリーン
１１    表面層
１２    基材層
１３    光学形状層
１３１    単位プリズム
１４    空気層
１５    光吸収層
ＬＳ    映像源
５０    支持板
【図１】
2014199375.tif 000003
【図２】
2014199375.tif 000004
【図３】
2014199375.tif 000005